(57)【要約】【課題】コード情報が画像化されたコード画像を含む画像データの受信時、コード画像からコード情報を正確に取得できる信頼性の高いファクシミリ装置を提供する。【解決手段】ファクシミリ装置１００は、コード情報を画像化したコード画像を含む画像データを受信できる受信部１０１と、画像データにコード画像が含まれているか否かを判別する判別部１０５と、コード画像が含まれていると判別されたとき、コード情報を復号可能な状態でコード画像を印字する印字部１１１と、を備える。【選択図】図１
2008294710.tif 000002
【特許請求の範囲】
【請求項１】
コード情報を画像化したコード画像を含む画像データを受信できる受信部と、
前記画像データに前記コード画像が含まれているか否かを判別する判別部と、
前記コード画像が含まれていると判別されたとき、前記コード情報を復号可能な状態で前記コード画像を取得する取得部と、を備えるファクシミリ装置。
【請求項２】
請求項１に記載のファクシミリ装置において、
前記画像データに所定の画像処理を施す画像処理部と、
前記画像データを印字する印字部と、を備え、
前記コード画像が含まれていると判別されたとき、前記画像処理部は、前記画像データに前記画像処理を施さず、前記印字部は、前記受信部が受信した前記画像データをそのまま印字するファクシミリ装置。
【請求項３】
請求項１に記載のファクシミリ装置において、
前記画像データに所定の画像処理を施す画像処理部と、
前記画像データを印字する印字部と、を備え、
前記コード画像が含まれていると判別されたとき、前記画像処理部は、前記取得部が取得した前記コード画像のみ前記画像処理を施さず、前記印字部は、前記受信部が受信した前記画像データを印字するファクシミリ装置。
【請求項４】
請求項２または３に記載のファクシミリ装置において、
前記印字部は、前記取得部が取得した前記コード画像を前記画像データとは異なるページで印字するファクシミリ装置。
【請求項５】
請求項２乃至４いずれかに記載のファクシミリ装置において、
前記取得部が取得した前記コード画像を復号して前記コード情報を抽出する復号部を備え、
前記印字部は、抽出された前記コード情報を印字するファクシミリ装置。
【請求項６】
請求項５に記載のファクシミリ装置において、
前記コード情報を所定の宛先に転送する転送部を備えるファクシミリ装置。
【請求項７】
請求項１乃至６いずれかに記載のファクシミリ装置において、
前記コード画像または前記コード情報を記憶する記憶部と、
前記画像データの受信記録および当該画像データに前記コード画像が含まれていたことを示す識別情報を記録する記録部と、
前記記録部に記録された前記画像データの前記受信記録および前記識別情報をユーザに提示する提示部と、を備えるファクシミリ装置。
【請求項８】
請求項７に記載のファクシミリ装置において、
提示された前記画像データの前記受信記録および前記識別情報を参照した前記ユーザから、いずれの前記コード画像または前記コード情報を印字するかの印字指示を受け付ける印字指示受付部を備え、
前記印字部は、前記印字指示を受け付けたとき、前記印字指示に対応する前記コード画像または前記コード情報を前記記憶部から読み出し、印字するファクシミリ装置。
【請求項９】
請求項７または８に記載のファクシミリ装置において、
提示された前記画像データの前記受信記録および前記識別情報を参照した前記ユーザから、いずれの前記コード画像または前記コード情報を転送するかの転送指示を受け付ける転送指示受付部と、
前記転送指示を受け付けたとき、前記転送指示に対応する前記コード画像または前記コード情報を前記記憶部から読み出し、所定の宛先に転送する転送部と、を備えるファクシミリ装置。
【発明の詳細な説明】
【技術分野】
【０００１】
本発明は、ファクシミリ装置に関し、特に、画像データを受信して処理するファクシミリ装置に関する。
【背景技術】
【０００２】
従来のファクシミリ装置としては、たとえば特許文献１に記載されたものがある。同文献に記載されたファクシミリ装置は、縮小・分割処理を禁止する特定の相手先を登録し、着信時、登録されている相手先からの受信画像について、縮小・分割処理を禁止して、記録手段により受信画像を等倍で記録紙に記録出力して、記録領域を超える画像を切り捨てるものである。
【０００３】
これにより、特殊な定型フォーマットの画像の不必要な画像を記録するために画像の分割や縮小を行って記録品質が劣化することを防止するとともに、記録紙の無駄遣いを防止することができる。
【特許文献１】特開平１１−４１４５８号公報
【発明の開示】
【発明が解決しようとする課題】
【０００４】
ところで、画像データにＱＲ（Quick Response）コードなどのコード画像が含まれている場合、たとえば、受信側の用紙サイズが送信側の読み取りサイズより小さい場合に、受信側で自動縮小などの処理が行われると、コード画像の画質が劣化し、コード情報が復号できなくなってしまう可能性がある。また、コード画像の途中でページが切れてしまう危険性もある。これは上記従来技術文献記載の装置のように、送信元の相手先毎の設定では対応できない。
【０００５】
本発明は上記事情に鑑みてなされたものであり、その目的とするところは、コード情報が画像化されたコード画像を含む画像データの受信時、コード画像からコード情報を正確に取得できる信頼性の高いファクシミリ装置を提供することにある。
【課題を解決するための手段】
【０００６】
本発明によれば、コード情報を画像化したコード画像を含む画像データを受信できる受信部と、
前記画像データに前記コード画像が含まれているか否かを判別する判別部と、
前記コード画像が含まれていると判別されたとき、前記コード情報を復号可能な状態で前記コード画像を取得する取得部と、を備えるファクシミリ装置が提供される。
【０００７】
判別部は、たとえば、受信した画像データを走査して画像データからコード画像を抽出するか、あるいは、画像データ受信時にコード画像が含まれていることを示す所定の情報を受信することでコード画像を含むことを判別する。画像データは、ファクシミリ、またはＩＰファクシミリで受信される。
【０００８】
また、取得部は、コード画像を印字出力したし、コード画像の画像データを記憶したり、コード画像の画像データを所定の宛先に転送したり、コード画像を復号して得られるコード情報を印字出力したり、記憶したり、所定の宛先に転送することができる。
【０００９】
この発明によれば、受信した画像データに含まれるＱＲコードなどのコード画像を判別し、コード画像からコード情報を正確に復号できるようにコード画像を取得することができる。
【００１０】
上記ファクシミリ装置において、前記画像データに所定の画像処理を施す画像処理部と、前記画像データを印字する印字部と、を備えることができ、前記コード画像が含まれていると判別されたとき、前記画像処理部は、前記画像データに前記画像処理を施さず、前記印字部は、前記受信部が受信した前記画像データをそのまま印字することができる。
【００１１】
ここで、所定の画像処理とは、たとえば、拡大、縮小、スムージング、エッジ強調などの処理を含む。
この構成によれば、コード画像を含む画像データには画像処理を施さずにそのまま印字するので、コード画像の画質を維持でき、コード情報を復号可能にコード画像を印字することができる。
【００１２】
上記ファクシミリ装置において、前記画像データに所定の画像処理を施す画像処理部と、前記画像データを印字する印字部と、を備えることができ、前記コード画像が含まれていると判別されたとき、前記画像処理部は、前記取得部が取得した前記コード画像のみ前記画像処理を施さず、前記印字部は、前記受信部が受信した前記画像データを印字することができる。
【００１３】
この構成によれば、コード画像にのみ画像処理を施さないので、コード画像の画質を維持でき、コード情報を復号可能にコード画像を印字することができる。
【００１４】
上記ファクシミリ装置において、前記印字部は、前記取得部が取得した前記コード画像を前記画像データとは異なるページで印字することができる。
【００１５】
上記ファクシミリ装置において、前記取得部が取得した前記コード画像を復号して前記コード情報を抽出する復号部を備えることができ、前記印字部は、抽出された前記コード情報を印字することができる。
【００１６】
上記ファクシミリ装置において、前記コード情報を所定の宛先に転送する転送部を備えることができる。
【００１７】
上記ファクシミリ装置において、前記コード画像または前記コード情報を記憶する記憶部と、前記画像データの受信記録および当該画像データに前記コード画像が含まれていたことを示す識別情報を記録する記録部と、前記記録部に記録された前記画像データの前記受信記録および前記識別情報をユーザに提示する提示部と、を備えることができる。
【００１８】
この構成によれば、コード画像が画像データに含まれている場合に、画像データの受信記録にその旨を記録し、受信記録から、コード画像または復号されたコード情報を印字することができる。
【００１９】
上記ファクシミリ装置において、提示された前記画像データの前記受信記録および前記識別情報を参照した前記ユーザから、いずれの前記コード画像または前記コード情報を印字するかの印字指示を受け付ける印字指示受付部を備えることができ、前記印字部は、前記印字指示を受け付けたとき、前記印字指示に対応する前記コード画像または前記コード情報を前記記憶部から読み出し、印字することができる。
【００２０】
この構成によれば、コード画像が画像データに含まれている場合に、画像データの受信記録にその旨を記録し、受信記録から、コード画像または復号されたコード情報を印字することができる。
【００２１】
上記ファクシミリ装置において、提示された前記画像データの前記受信記録および前記識別情報を参照した前記ユーザから、いずれの前記コード画像または前記コード情報を転送するかの転送指示を受け付ける転送指示受付部と、前記転送指示を受け付けたとき、前記転送指示に対応する前記コード画像または前記コード情報を前記記憶部から読み出し、所定の宛先に転送する転送部と、を備えることができる。
【００２２】
なお、以上の構成要素の任意の組合せ、本発明の表現を方法、装置、システム、記録媒体、コンピュータプログラムなどの間で変換したものもまた、本発明の態様として有効である。
【発明の効果】
【００２３】
本発明によれば、コード情報が画像化されたコード画像を含む画像データの受信時、コード画像からコード情報を正確に取得できる信頼性の高いファクシミリ装置が提供される。
【発明を実施するための最良の形態】
【００２４】
（第一の実施の形態）
以下、本発明の実施の形態について、図面を用いて説明する。尚、すべての図面において、同様な構成要素には同様の符号を付し、適宜説明を省略する。
【００２５】
図１は、本発明の実施の形態に係るファクシミリ装置１００の構成を示す機能ブロック図である。本実施形態のファクシミリ装置１００は、コード情報を画像化したコード画像を含む画像データを受信できる受信部１０１と、画像データにコード画像が含まれているか否かを判別する判別部１０５と、コード画像が含まれていると判別されたとき、コード情報を復号可能な状態でコード画像を取得する取得部（印字制御部１０９、印字部１１１）と、を備える。
【００２６】
ファクシミリ装置１０およびファクシミリ装置１００は、公衆交換回線網（ＰＳＴＮ：Public Switched Telephone Networks）２０に接続されたＧ３ファクシミリ装置、ＬＡＮ（Local Area Network）やＷＡＮ（Wide Area Network）、インターネットなどのネットワーク（不図示）に接続されたＩＰファクシミリ装置、またはＰＳＴＮ２０およびネットワークの両方に接続された複合機（ＭＦＰ：Multi Functional Peripheral）などである。なお、図１において、本発明の本質に関わらない部分の構成については省略してある。
【００２７】
また、ファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２８】
詳細には、ファクシミリ装置１００は、受信部１０１と、画像データ記憶部１０３と、判別部１０５と、画像処理部１０７と、印字制御部１０９と、印字部１１１と、を備える。
【００２９】
受信部１０１は、ＰＳＴＮ２０を介してファクシミリ装置１０とファクシミリ通信を行い、画像データを受信する。本実施形態において、画像データは、コード情報が画像化されたコード画像、たとえば、ＱＲコードやバーコードなどを含むことができる。画像データは、たとえば、ＴＩＦＦやＪＰＥＧ、ＰＤＦ形式のファイルとすることができる。図１では、ＰＳＴＮ２０を介してファクシミリ通信を行う構成のみ記載してあるが、上述したように、ネットワークを介してファクシミリ装置１０からメールに添付された画像データを送受信するＩＰファクシミリ通信を行う構成とすることもできる。
【００３０】
画像データ記憶部１０３は、受信部１０１が受信した画像データを記憶する。判別部１０５は、受信部１０１が受信した画像データにコード画像が含まれているか否かを判別する。判別部１０５は、受信した画像データを走査して、画像データからコード画像を抽出するか、あるいは、画像データ受信時にコード画像が含まれていることを示す所定の情報をファクシミリ装置１０から受信することでコード画像を含むことを判別する。コード画像の抽出は、たとえば、コード画像に予め設けられている特徴となるパターン、例として、ファインダーパターンを検出することで行うことができる。
【００３１】
ファクシミリ装置１００は、たとえば、ファクシミリ受信前にファクシミリ装置１０と能力交換を行う能力交換部（不図示）を設け、ファクシミリ装置１０からこれから受信する画像データにコード画像が含まれていることを示す所定の情報を含めたＮＳＳ（Nonstandard Facilities Setup）信号を受信することができる。あるいは、ファクシミリ装置１０から送信されたメールのメールヘッダ、各パートのヘッダ、あるいは本文に情報を含めることもできる。判別部１０５は、コード画像が含まれると判別した場合は、印字制御部１０９に、受信した画像データを画像処理部１０７による画像処理を行わずにそのまま、すなわち等倍印字させるように指示する。一方、判別部１０５は、コード画像が含まれないと判別した場合は、画像処理部１０７に、受信した画像データに画像処理部１０７による画像処理を行わせる。
【００３２】
画像処理部１０７は、たとえば、拡大、縮小、スムージング、エッジ強調などの所定の画像処理を画像データに施し、処理された画像データを印字制御部１０９に受け渡す。印字制御部１０９は、判別部１０５または画像処理部１０７からの指示に従って、画像データの印字を印字部１１１に指示する。印字部１１１は、印字制御部１０９の制御により、画像データを記録紙に印字出力する。
【００３３】
このように構成された本実施形態のファクシミリ装置１００の動作について、以下に説明する。図２は、本実施形態のファクシミリ装置１００の動作の一例を示すフローチャートである。以下、図１および図２を用いて説明する。
【００３４】
はじめに、図１のファクシミリ装置１００において、受信部１０１が、ＰＳＴＮ２０を介してファクシミリ装置１０から画像データを受信する（Ｓ１１）。そして、判別部１０５がステップＳ１１で受信した画像データにコード画像が含まれているか否かを判別する（Ｓ１３）。判別部１０５により画像データにコード画像が含まれると判別された場合（Ｓ１３のＹＥＳ）、判別部１０５は、画像処理部１０７に画像データの画像処理を禁止させ（Ｓ１５）、印字制御部１０９に画像データの印字を指示する。そして、印字制御部１０９は、印字部１１１に画像データを印字させる（Ｓ１９）。一方、判別部１０５により画像データにコード画像が含まれていないと判別された場合（Ｓ１３のＮＯ）、判別部１０５は、画像処理部１０７に画像データの画像処理を指示する。そして、画像処理部１０７は、画像データに所定の画像処理、たとえば、縮小処理などを施す（Ｓ１７）。そして、印字部１１１が印字制御部１０９に制御されて画像データを印字する（Ｓ１９）。
【００３５】
以上説明したように、本実施形態のファクシミリ装置１００によれば、ＱＲコードなどのコード画像を含む画像データには画像処理、たとえば、縮小処理などを施さずにそのまま印字するので、コード画像の画質を維持でき、コード情報を復号可能にコード画像を印字することができる。よって、受信した画像データに含まれるコード画像を判別し、コード画像からコード情報を正確に復号できるようにコード画像を取得することができる。
【００３６】
（第二の実施の形態）
図３は、本発明の実施の形態に係るファクシミリ装置の要部構成を示す機能ブロック図である。本実施形態のファクシミリ装置は、図１に示す上記実施形態のファクシミリ装置１００とは、コード画像を含む画像データの場合、画像データ全体に画像処理を施さないのではなく、コード画像のみ画像処理を施さずに印字する点で相違する。以下、図１も用いて説明する。
【００３７】
本実施形態のファクシミリ装置は、図１に示す上記実施の形態のファクシミリ装置１００の構成に、画像データからコード画像を抽出する取得部１２１をさらに備える。取得部１２１は、判別部１０５により画像データにコード画像が含まれると判定されたとき、画像データ記憶部１０３から画像データを読み出し、読み出した画像データからコード画像を抽出する。そして、取得部１２１は、画像処理部１０７にコード画像への画像処理を行わせずに、直接印字制御部１０９にコード画像を印字するよう指示する。印字制御部１０９では、取得部１２１から受け取ったコード画像のデータと、画像データ記憶部１０３に記憶されているコード画像以外の画像データを合成して、印字部１１１（図１）に印字させる。このとき、コード画像以外の画像データには所定の画像処理を施してよい。
【００３８】
このように構成された本実施形態のファクシミリ装置１００の動作について、以下に説明する。図４は、本実施形態のファクシミリ装置１００の動作の一例を示すフローチャートである。以下、図１、図３、図４を用いて説明する。なお、図４において、上記実施形態の図２のフローチャートと同じステップＳ１１、Ｓ１３、Ｓ１９には同じ符号を付し、詳細な説明は省略する。
【００３９】
判別部１０５により画像データにコード画像が含まれていると判定された場合（Ｓ１３のＹＥＳ）、取得部１２１が画像データ記憶部１０３に記憶されている受信画像データからコード画像を抽出する（Ｓ２１）。そして、判別部１０５は、画像処理部１０７にコード画像への画像処理を禁止させる（Ｓ２３）。そして、画像処理部１０７は、コード画像以外の画像データに所定の画像処理を施す（Ｓ２５）。そして、印字制御部１０９が画像処理されていないコード画像と画像処理された画像データを合成して（Ｓ２７）、印字部１１１に印字させる（Ｓ１９）。
【００４０】
以上説明したように、本実施形態のファクシミリ装置によれば、コード画像にのみ画像処理を施さないので、コード画像の画質を維持でき、コード情報を復号可能にコード画像を印字することができる。
【００４１】
（第三の実施の形態）
図５は、本発明の実施の形態に係るファクシミリ装置の動作の一例を示すフローチャートである。本実施形態のファクシミリ装置は、図３および図４の上記実施形態のファクシミリ装置とは、画像処理を施さない復号化画像を画像データと合成せずに、別ページに印字する点で相違する。
【００４２】
図５に示すように、図４のステップＳ２５の後、印字制御部１０９がコード画像を画像データとは別ページで印字するよう印字部１１１を制御する（Ｓ３１）。そして印字部１１１が画像データとコード画像をそれぞれ別ページで印字する（Ｓ１９）。
【００４３】
以上説明したように、本実施形態のファクシミリ装置によれば、コード画像が画像データに含まれている場合に、コード画像のみに画像処理を施さずに、さらに別ページに印字することができる。したがって、コード画像の画質を劣化させずに、かつコード画像の途中でページが切れてしまうのを防ぐことができる。
【００４４】
（第四の実施の形態）
図６は、本発明の実施の形態に係るファクシミリ装置２００の構成を示す機能ブロック図である。本実施形態のファクシミリ装置２００は、図１および図３の上記実施形態のファクシミリ装置とは、画像データから抽出したコード画像を復号し、コード情報を抽出し、印字する点で相違する。なお、本実施形態では、コード画像にも画像処理を施す構成としたが、図３の上記実施形態のファクシミリ装置と同様に、コード画像のみ画像処理を施さない構成とすることもできる。
【００４５】
本実施形態のファクシミリ装置２００は、図１および図３の上記実施形態のファクシミリ装置の構成要素に加え、復号部２０１をさらに備えている。復号部２０１は、画像データから抽出したコード画像を復号し、コード情報を抽出する。また、本実施形態において、受信部１０１は、画像データを受信したことを画像処理部１０７に通知し、画像処理部１０７は、受信された画像データに所定の画像処理を施す。また、判別部１０５は、受信部１０１が受信した画像データにコード画像が含まれていると判別されたときに、取得部１２１にコード画像の抽出を指示し、画像データにコード画像が含まれていないと判別されたときには、何もしない。
【００４６】
このように構成された本実施形態のファクシミリ装置２００の動作について、以下に説明する。図７は、本実施形態のファクシミリ装置２００の動作の一例を示すフローチャートである。なお、図７のフローチャートは、上記実施形態の図４のフローチャートのステップＳ２５または図５のステップＳ３１（図７には不図示）の後に続く。以下、図４乃至図７を用いて説明する。
【００４７】
すなわち、画像処理部１０７（図６）がコード画像以外を画像処理した後（図４のＳ２５）、または印字制御部１０９（図６）が画像処理されていないコード画像を画像データと別ページで印字するよう印字部１１１（図６）を制御した後（図５のＳ３１）、復号部２０１（図６）が図４のステップＳ２１で取得したコード画像を復号し、コード情報を抽出する（Ｓ４１）。そして、復号部２０１は、復号されたコード情報を印字制御部１０９に受け渡し、印字制御部１０９は、復号されたコード情報を画像データとは別ページで印字するよう印字部１１１を制御する（Ｓ４３）。そして、印字部１１１が画像データと、復号されたコード情報をそれぞれ別ページで印字する（Ｓ１９）。
【００４８】
このとき、コード画像については、上記実施形態のいずれの方法でも印字することができる。すなわち、コード画像を画像データと一緒に画像処理を施さずに印字してもよいし、コード画像のみを画像処理を施さずに、画像処理された画像データに合成して印字してもよいし、画像処理を施していないコード画像を画像処理された画像データと別ページに印字してもよい。また、復号されたコード情報を画像データの余白に合成して同じページに印字してもよい。
【００４９】
以上説明したように、本実施形態のファクシミリ装置２００によれば、コード画像を復号してコード情報を得ることができ、その復号されたコード情報は、画像データやコード画像とは別ページで印字することができ、利便性がよい。
【００５０】
（第五の実施の形態）
図８は、本発明の実施の形態に係るファクシミリ装置の要部構成を示す機能ブロック図である。本実施形態のファクシミリ装置は、図６の上記実施形態のファクシミリ装置２００とは、復号部２０１が復号したコード情報を所定の宛先に転送する点で相違する。
【００５１】
本実施形態のファクシミリ装置は、図６の上記実施の形態のファクシミリ装置２００の構成要素に加え、復号部２０１が復号したコード情報を所定の宛先に転送する転送部２１１をさらに備える。転送部２１１は、たとえば、予め登録されている宛先に、ＰＳＴＮを介してコード情報をファクシミリ送信してもよいし、ネットワークを介してメール送信やファイル転送してもよい。宛先は、ファクシミリ装置、ＩＰファクシミリ装置、複合機、あるいは、ＰＣ（Personal Computer）、ネットワーク上の記憶装置の共有フォルダであってもよい。所定の宛先は、メールアドレスやＩＰアドレスなどとすることができる。
【００５２】
このように構成された本実施形態のファクシミリ装置の動作について、以下に説明する。図９は、本実施形態のファクシミリ装置の動作の一例を示すフローチャートである。なお、図９のフローチャートは、上記実施形態の図７のフローチャートのステップＳ１９の後に続く。以下、図６乃至図９を用いて説明する。
【００５３】
図７のステップ１９で印字部１１１（図６）が画像データまたはコード画像および復号されたコード情報を印字した後、転送部２１１が復号されたコード情報を所定の宛先に転送する（Ｓ５１）。
【００５４】
以上説明したように、本実施形態のファクシミリ装置によれば、所定の宛先にコード画像から復号されたコード情報を転送することができ、利便性がよい。
【００５５】
（第六の実施の形態）
図１０は、本発明の実施の形態に係るファクシミリ装置４００の要部構成を示す機能ブロック図である。本実施形態のファクシミリ装置４００は、図６または図８の上記実施形態とは、コード画像または復号されたコード情報を記憶し、画像データの受信記録にコード画像の有無を記録し、受信記録からコード画像を印字可能な点で相違する。
【００５６】
本実施形態のファクシミリ装置４００は、コード画像またはコード情報を記憶する記憶部（コード画像記憶部４１１または復号情報記憶部４１３）と、画像データの受信記録および当該画像データにコード画像が含まれていたことを示す識別情報を記録する記録部（記録部４０１、通信履歴記憶部４０３および付加部４１５）と、記録部に記録された画像データの受信記録および識別情報をユーザに提示する提示部４０５と、を備える。さらに、本実施形態のファクシミリ装置４００は、提示された画像データの受信記録および識別情報を参照したユーザから、いずれのコード画像またはコード情報を印字するかの印字指示を受け付ける印字指示受付部４２１を備え、印字部（印字制御部１０９および印字部１１１）は、印字指示を受け付けたとき、印字指示に対応するコード画像またはコード情報を記憶部（コード画像記憶部４１１または復号情報記憶部４１３）から読み出し、再度印字する。
【００５７】
具体的には、ファクシミリ装置４００は、図６または図８の上記実施形態の構成要素に加え、記録部４０１と、通信履歴記憶部４０３と、提示部４０５と、コード画像記憶部４１１と、復号情報記憶部４１３と、付加部４１５と、印字指示受付部４２１と、をさらに備える。
【００５８】
記録部４０１は、受信部１０１が画像データを受信した受信記録を通信履歴記憶部４０３に記録する。通信履歴記憶部４０３は、図１１に示すように、シリアル番号４３１で管理される受信記録として、宛先４３３などを含むとともに、ＱＲコード有無４３５を記憶する。ＱＲコード有無４３５は、フラグで示している。「１」がＱＲコード有り、「０」がＱＲコード無しである。
【００５９】
図１０に戻り、提示部４０５は、通信履歴記憶部４０３に記録された受信記録をユーザに提示する。提示部４０５は、たとえば、ファクシミリ装置４００の操作パネル（不図示）上に設けられた表示部（不図示）に受信記録を表示したり、あるいは、受信記録を印字部１１１により記録紙に印字したりする。
【００６０】
図１２は、本実施形態の通信履歴画面４５０の一例を示す図である。通信履歴画面４５０は、通信履歴一覧４５１と、ＱＲコード印刷ボタン４６１と、を含む。通信履歴一覧４５１は、番号４５３順に、宛先４５５などの受信記録と、ＱＲコード有無欄４５７と、を含む。ＱＲコード有無欄４５７には、受信した画像データにコード画像が含まれていたか否かが「有／無」で提示される。ユーザは、後述するように、操作部（不図示）、たとえば、タッチパネルやキーボードなどを用いて、印字したいコード画像を選択すると、ＱＲコード有無欄４５７が反転表示４５９される。コード画像の選択は、ユーザがタッチパネル上でＱＲコード有無欄４５７を押下することにより行うこともできるし、操作キーから図示されない操作ガイダンス画面に従って、番号４５３を入力することにより行うこともできる。ＱＲコード印刷ボタン４６１は、通信履歴一覧４５１で選択されたコード画像または復号されたコード情報の印字指示を受け付ける。
【００６１】
図１０に戻り、コード画像記憶部４１１は、取得部１２１が抽出したコード画像を通信履歴記憶部４０３の受信記録の番号４３１（図１１）と関連付けて記憶する。復号情報記憶部４１３は、復号部２０１が復号したコード情報を通信履歴記憶部４０３の受信記録の番号４３１（図１１）と関連付けて記憶する。なお、本実施形態のコード画像記憶部４１１および復号情報記憶部４１３は、いずれか一方であってもよい。付加部４１５は、判別部１０５での画像データにコード画像が含まれるか否かの判定結果を、図１１の通信履歴記憶部４０３のＱＲコード有無４３５のフラグに反映させる。
【００６２】
印字指示受付部４２１は、図１２の通信履歴画面４５０上で、操作部を用いてユーザが選択した、印字すべきコード画像と、ＱＲコード印刷ボタン４６１の押下を受け付ける。印字制御部１０９は、印字指示受付部４２１が受け付けたコード画像またはそのコード画像を復号して得られたコード情報を、通信履歴記憶部４０３の番号４３１を検索キーとしてコード画像記憶部４１１または復号情報記憶部４１３から読み出し、印字部１１１に印字させる。
【００６３】
このように構成された本実施形態のファクシミリ装置４００の動作について、以下に説明する。図１３は、本実施形態のファクシミリ装置４００の動作の一例を示すフローチャートである。以下、図６、図１０乃至図１３を用いて説明する。
【００６４】
図６の受信部１０１が画像データを受信すると（Ｓ１１）、図１０の記録部４０１が受信記録を通信履歴記憶部４０３に記録する（Ｓ６１）。そして、図６の判別部１０５により、画像データにコード画像が含まれると判定されると（Ｓ１３のＹＥＳ）、図６の取得部１２１が画像データからコード画像を抽出して取得し（Ｓ１５）、図６の復号部２０１がステップＳ１５で取得したコード画像を復号する（Ｓ４１）。なお、ステップＳ４１は省略することもできる。
【００６５】
ステップＳ１５およびステップＳ４１でそれぞれ得られたコード画像および復号されたコード情報を図１０のコード画像記憶部４１１および復号情報記憶部４１３にそれぞれ記憶する（Ｓ６３）。そして、付加部４１５は、通信履歴記憶部４０３の対応する受信記録のＱＲコード有無４３５にコード画像が含まれていたことを示すフラグをセットする（Ｓ６５）。そして、印字制御部１０９は受信した画像データを印字部１１１に印字させる（Ｓ１９）。なお、ステップＳ１９において、上記実施形態のいずれの印字方法を行ってもよいし、あるいは、コード画像を含まない画像データと同様な印字を行ってもよい。なぜなら、本実施形態において、コード画像または復号されたコード情報は、コード画像記憶部４１１または復号情報記憶部４１３に記憶されているので、後で再度印字することが可能だからである。
【００６６】
図１４は、本実施形態のファクシミリ装置４００において、図１３のフローチャートで記憶されたコード画像または復号されたコード情報を印字する際の動作の一例を示すフローチャートである。
【００６７】
はじめに、図１０の提示部４０５が図１２の通信履歴画面４５０を表示部に表示する（Ｓ７１）。そして、通信履歴画面４５０を閲覧したユーザが、通信履歴一覧４５１から操作部を用いて印字したいコード画像またはそのコード画像を復号して得られたコード情報の選択と、ＱＲコード印刷ボタン４６１の押下を印字指示として受け付ける（Ｓ７３）。そして、印字制御部１０９が選択されたコード画像またはそのコード画像を復号して得られたコード情報を印字部１１１に印字させる（Ｓ７５）。
【００６８】
以上説明したように、本実施形態のファクシミリ装置４００によれば、コード画像が画像データに含まれている場合に、画像データの受信記録にその旨を記録し、受信記録から、コード画像または復号されたコード情報を印字することができる。
【００６９】
（第七の実施の形態）
図１５は、本発明の実施の形態に係るファクシミリ装置の要部構成を示す機能ブロック図である。本実施形態のファクシミリ装置は、図１４の上記実施形態のファクシミリ装置４００とは、通信履歴記憶部４０３に記録された受信記録から選択されたコード画像またはそのコード画像を復号して得られたコード情報を所定の宛先に転送する点で相違する。
【００７０】
本実施形態のファクシミリ装置は、上記実施形態のファクシミリ装置４００の構成要素に加え、転送指示受付部５０１と、転送部５０３と、を含む。転送指示受付部５０１は、通信履歴記憶部４０３に記録された受信記録を表示した図１２の通信履歴画面４５０にいてユーザが選択したＱＲコード有無４５７欄の番号４５３と、転送指示ボタン（不図示）の押下を転送指示として受け付け、転送部５０３に通知する。転送部５０３は、たとえば、予め登録されている宛先に、受信記録から選択された番号４５３に対応するコード画像または復号されたコード情報をコード画像記憶部４１１または復号情報記憶部４１３からそれぞれ読み出し、所定の宛先にＰＳＴＮを介してファクシミリ送信してもよいし、ネットワークを介してメール送信してもよい。コード画像を転送するか、復号されたコード情報を転送するかは、装置ごとに予め決められていてもよいし、ユーザが随時選択できる構成としてもよい。転送先の所定の宛先も、予め設定しておいてもよいし、ユーザが随時指定できる構成としてもよい。
【００７１】
このように構成された本実施形態のファクシミリ装置の動作について、以下に説明する。図１６は、本実施形態のファクシミリ装置の動作の一例を示すフローチャートである。図１６は、図１３のフローチャートで記憶されたコード画像または復号されたコード情報を所定の宛先に転送する際の動作の一例を示している。
【００７２】
はじめに、図１０の提示部４０５が通信履歴記憶部４０３に記憶された受信記録を図１２の通信履歴画面４５０を表示部に表示する（Ｓ７１）。そして、通信履歴画面４５０を閲覧したユーザが、通信履歴一覧４５１から操作部を用いて転送したいコード画像またはそのコード画像を復号して得られたコード情報の選択と、転送指示ボタンの押下を転送指示として受け付ける（Ｓ８１）。そして、転送部５０３が選択されたコード画像またはそのコード画像を復号して得られたコード情報を所定の宛先に転送する（Ｓ８３）。
【００７３】
以上説明したように、本実施形態のファクシミリ装置によれば、コード画像が画像データに含まれている場合に、画像データの受信記録にその旨を記録し、受信記録から、コード画像または復号されたコード情報を所定の宛先に転送することができる。
【００７４】
以上、図面を参照して本発明の実施形態について述べたが、これらは本発明の例示であり、上記以外の様々な構成を採用することもできる。
【００７５】
たとえば、コード画像が復号されたコード情報と、そのコード画像に関連付けるための識別情報を、所定の宛先に転送することができる。具体的には、ファクシミリ装置は、上記実施形態のファクシミリ装置の構成要素に加え、コード画像を復号して得られたコード情報と、そのコード画像を関連付ける識別情報をコード情報に付加する付加部（不図示）と、識別情報が付加されたコード情報を所定の宛先に転送する転送部（不図示）と、をさらに備えることができる。識別情報を、たとえば、上記実施形態の図１１の通信履歴記憶部４０３の番号４３１とすれば、図１２の通信履歴画面４５０を用いて、転送された識別情報、すなわち番号４３１をキー入力または選択することにより、コード画像を印字したり、あるいは、転送指示ボタン（不図示）の操作を受け付け、所定の宛先に転送することができる。
【図面の簡単な説明】
【００７６】
【図１】本発明の実施の形態に係るファクシミリ装置の構成を示す機能ブロック図である。
【図２】図１のファクシミリ装置の動作の一例を示すフローチャートである。
【図３】本発明の実施の形態に係るファクシミリ装置の要部構成を示す機能ブロック図である。
【図４】図３のファクシミリ装置の動作の一例を示すフローチャートである。
【図５】本発明の実施の形態に係るファクシミリ装置の動作の一例を示すフローチャートである。
【図６】本発明の実施の形態に係るファクシミリ装置の構成を示す機能ブロック図である。
【図７】図６のファクシミリ装置の動作の一例を示すフローチャートである。
【図８】本発明の実施の形態に係るファクシミリ装置の要部構成を示す機能ブロック図である。
【図９】図８のファクシミリ装置の動作の一例を示すフローチャートである。
【図１０】本発明の実施の形態に係るファクシミリ装置の要部構成を示す機能ブロック図である。
【図１１】図１０のファクシミリ装置の通信履歴記憶部の構造の一例を示す図である。
【図１２】図１０のファクシミリ装置の提示部で表示される通信履歴画面の一例を示す図である。
【図１３】図１０のファクシミリ装置の動作の一例を示すフローチャートである。
【図１４】図１０のファクシミリ装置で、記憶部に記憶されたコード画像または復号されたコード情報を印字する際の動作の一例を示すフローチャートである。
【図１５】本発明の実施の形態に係るファクシミリ装置の要部構成を示す機能ブロック図である。
【図１６】図１５のファクシミリ装置の動作の一例を示すフローチャートである。
【符号の説明】
【００７７】
１０  ファクシミリ装置
２０  ＰＳＴＮ
１００  ファクシミリ装置
１０１  受信部
１０３  画像データ記憶部
１０５  判別部
１０７  画像処理部
１０９  印字制御部
１１１  印字部
１２１  取得部
２００  ファクシミリ装置
２０１  復号部
２１１  転送部
４００  ファクシミリ装置
４０１  記録部
４０３  通信履歴記憶部
４０５  提示部
４１１  コード画像記憶部
４１３  復号情報記憶部
４１５  付加部
４２１  印字指示受付部
４３１  シリアル番号
４３３  宛先
４３５  ＱＲコード有無
４５０  通信履歴画面
４５１  通信履歴一覧
４５３  番号
４５５  宛先
４５７  ＱＲコード有無欄
４５９  反転表示
４６１  ＱＲコード印刷ボタン
５０１  転送指示受付部
５０３  転送部
【図１】
2008294710.tif 000003
【図２】
2008294710.tif 000004
【図３】
2008294710.tif 000005
【図４】
2008294710.tif 000006
【図５】
2008294710.tif 000007
【図６】
2008294710.tif 000008
【図７】
2008294710.tif 000009
【図８】
2008294710.tif 000010
【図９】
2008294710.tif 000011
【図１０】
2008294710.tif 000012
【図１１】
2008294710.tif 000013
【図１２】
2008294710.tif 000014
【図１３】
2008294710.tif 000015
【図１４】
2008294710.tif 000016
【図１５】
2008294710.tif 000017
【図１６】
2008294710.tif 000018